(57)【要約】【課題】  ターゲットに対する弾丸の運動学的効果に基づいた、低致死率の弾丸を撃つための銃火器及び方法を実現すること。【解決手段】  低致死率の銃火器であって、この銃火器が、弾丸のための発射装置（１２）と、銃身における銃口中の弾丸の速度を調整すべく適合してなる、弾丸の速度を調整するための装置（１３）とを備え、発射装置（１２）における銃身（１６）の内部からガスを流出させる手段（１７，１９）を備え、これらのガス流出手段（１７，１９）は分割可能になっている。【選択図】      図３
2006038452.tif 000002
【特許請求の範囲】
【請求項１】
低致死率の銃火器であって、この銃火器が、
弾丸のための発射装置（１２）であって、銃身（１６）における銃口中の弾丸の速度を調整すべく適合してなる、弾丸の速度を調整するための装置（１３）を備え、前記速度を調整する装置（１３）は、前記発射装置（１２）における前記銃身（１６）の内部からガスを流出させる手段（１７，１９）を備え、前記ガス流出手段（１７，１９）は分割可能になっていることを特徴とする銃火器。
【請求項２】
前記流出手段は、前記銃身（１６）に設けられ、前記銃身（１６）の内部からガスを流出させるための複数の貫通孔（１９）を備えてなる、流出面（１８）を備え、前記流出面（１８）は、前記銃身（１６）に取り付けられたバルブ（１７）に結合され、同バルブは連続的に回転可能になっていることを特徴とする請求項１に記載の銃火器。
【請求項３】
前記流出面（１８）は、前記銃身（１６）における爆発室のすぐ下流側である部分、または、爆発室と同一のレベルである部分に設けられていることを特徴とする請求項２に記載の銃火器。
【請求項４】
前記流出面（１８）は、前記バルブ（１７）を清掃するための、鋭利な輪郭を備えてなる、複数の排出部（２０）を備えていることを特徴とする請求項２に記載の銃火器。
【請求項５】
前記バルブ（１７）は、その同一である端面に、閉止面（２１）と下がり面（２２）とを備え、これらはそれぞれ、前記孔（１９）を閉じ又は開くべく適合していることを特徴とする請求項２に記載の銃火器。
【請求項６】
前記下がり面（２２）は、前記バルブ（１７）の回転中に、未燃焼ガス堆積物を前記銃身（１６）における前記流出面（１８）から清掃すべく適合してなる、２つの鋭利な側部（２３）を備えていることを特徴とする請求項５に記載の銃火器。
【請求項７】
前記バルブ（１７）は、その円筒形であるひとつの側面に複数の孔（２６）を備え、非常時には前記バルブ（１７）の固着を解くために、該孔を外部から操作することが可能になっていることを特徴とする請求項２に記載の銃火器。
【請求項８】
前記弾丸の速度を調整する装置（１３）は、電気制御モータ（２７）と、駆動歯車（２８，３２，３３，３５）と、トルクリミッタ安全ジョイント（２５）とを備えていることを特徴とする請求項２に記載の銃火器。
【請求項９】
前記装置は、前記モータ（２７）の軸に取り付けられた歯付きピニオン（３２）と、これに係合し、固定ピンにキー付けされたアイドラギア（３３）と、これに係合する、前記安全ジョイント（２５）における歯付き部分（２８）とから構成されていることを特徴とする請求項８に記載の銃火器。
【請求項１０】
前記安全ジョイント（２５）は、ボールジョイントであることを特徴とする請求項８に記載の銃火器。
【請求項１１】
前記安全ジョイント（２５）は、前記銃身（１６）に取り付けられ、同銃身のまわりにて回転可能であるような円筒形本体（３５）を備え、前記本体（３５）は前記歯付き部分（２８）を支持していることを特徴とする請求項８に記載の銃火器。
【請求項１２】
前記安全ジョイント（２５）は、前記円筒形本体（３５）のまわりに装着され、前記バルブ（１７）と前記銃身（１６）における前記流出面（１８）との間にシールを確保すると共に、前記ジョイント（２５）によって伝達されるトルクを制限するような、軸方向バネ（３６）を備えていることを特徴とする請求項１１に記載の銃火器。
【請求項１３】
前記バネ（３６）は、前記歯付き部分（２８）と、前記ジョイント（２５）の本体（３５）と一体をなすボール保持器（３８）に対して隣接している環状円板（３７）との間に、巻き付けられていることを特徴とする請求項１２に記載の銃火器。
【請求項１４】
前記バルブ（１７）は、その第２の端面に、前記安全ジョイント（２５）に結合するための、複数の円錐台の形状である座部（２４）を備えていることを特徴とする請求項８に記載の銃火器。
【請求項１５】
ターゲットの距離を推定する光学機械的な装置（１４）を備え、前記弾丸の速度を調整する装置（１３）と前記ターゲットの距離を推定する装置（１４）とを機械的に結合する手段を備えていることを特徴とする請求項１に記載の銃火器。
【請求項１６】
前記弾丸の速度を調整する装置（１３）と、前記ターゲットの距離を推定する装置（１４）とに供給するための、少なくとも１パックのバッテリー（２９）を備えていることを特徴とする請求項１５に記載の銃火器。
【請求項１７】
前記機械的に結合する手段は、前記流出手段（１７）に設けられ、フィーラ要素（４２）に結合されてなる、偏心カム（４１）を備え、該フィーラ要素は、ターゲットの距離を推定する装置（１４）を制御すべく、垂直方向に可動であるように適合していることを特徴とする請求項１５に記載の銃火器。
【請求項１８】
前記ターゲットの距離を推定する装置（１４）は、前記弾丸の速度を調整する装置（１３）における支持箱（４３）を介して、前記銃身（１６）に取り付けられていることを特徴とする請求項１５に記載の銃火器。
【請求項１９】
低致死率の弾丸を発射する方法であって、銃火器に低致死率の弾丸を装填する段階と、爆発室の起爆をトリガーする段階とを備えてなる上記方法において、弾丸のエネルギーを、言い換えれば、前記銃身における銃口中の弾丸の速度を、所望量だけ減少させるべく、銃身部分からの所定量のガスの流出を予想することを特徴とする方法。
【請求項２０】
毎回の発射前に、ターゲットに対するコリメート段階によって、ターゲットの距離を推定し、前記流出させるガスの量を推定された距離に相関させて、これと同時に、正確な後部照門位置を自動的に与えることを特徴とする請求項１９に記載の方法。
【請求項２１】
前記相関させる段階は、二方向唯一性であることを特徴とする請求項２０に記載の方法。
【発明の詳細な説明】
【技術分野】
【０００１】
本発明は、低致死率の銃火器と、これに関連する低致死率の弾丸を発射する方法に関する。
【背景技術】
【０００２】
いわゆる“低致死率”の分野の武器とは、人間のターゲットに対して、限定された傷害あるいは撤回可能である損傷を引き起こさせ、それにもかかわらず、撃たれる対象者による不法行為や犯罪行為を防ぐべく、彼を一時的に無能力化ないし制止できるようにデザインされた武器である。
【０００３】
“低致死率”という用語は、正確な意味をもっていて、詳しくは後述するが、“無致死率”という用語とは本質的に異なっている。“低致死率”とは、身体に与える外傷が、永久的損傷や死亡を引き起こすパーセンテージが限られている（そうしたパーセンテージは、撃たれる対象者の生物学的なパラメータ、つまり年齢、性別、体格、既往症などや、撃たれる部位に依存する。）という特性のことであり、一方、“無致死率”とは、与える外傷が本来的に、撤回不能な損傷を引き起こすことが不可能なものであることを意味する。
【０００４】
今日、様々な無致死率又は低致死率である武器ないし武器装置が知られている。一時的に無能力化させる方法は、電気放電（直接的に、または、電線を介して武器に接続された２本の針によってターゲットに放電する）に基づくもの、また、例えば、極めて小さい運動エネルギーをもった発射物によって、ターゲットに刺激物質を吸飲させるものなどがある。これらの装置は通常、無致死率のカテゴリーに属するものであり、というのは、電気ショックや刺激薬物の作用は、撃たれた対象者において、永久的な損傷や死亡を引き起こさないように、比較的確実に“調整”されるからである。
他方において、我々が低致死率であると分類する武器装置は、無能力化させる作用を、例えば、ターゲットに対する発射物の衝撃による運動学的作用に基づいていて、後述するように、上述したパラメータの変動によって影響を受ける。
【０００５】
質量物による衝撃は、それ自体が比較的柔らかくて変形可能なものであって、骨格又は筋肉の構造に一定の速度にて投げつけられたときには、単に刺激を引き起こす場合と、一時的な無能力化の状態を伴う激しい苦痛感覚を引き起こし、対象者を無抵抗にする場合と、臓器を損傷させ又は貫通し、骨格の一部分を破壊して、永久的な傷害を引き起こす場合と、さらには、破れた血管からの出血や、心臓性不整脈、又は脳傷害などに起因する死亡を引き起こす場合とがあることが知られている。
前述の如く、撃たれる対象者の様々な生物学的パラメータに依存して、効果は変動するので、それらを標準条件に適合させるように調節することは、残念ながら明らかに不可能である。
さらに、運動学的効果を用いた低致死率の武器装置においては、そうした変動は、衝突させる弾丸の代表的なパラメータ、言い換えれば、発射物についての、形状や、サイズ、材質、及び運動エネルギーに依存する。
人間のターゲットに、より柔らかい物質を“よりソフトに”相互作用させるならば、衝突面の面積が増加する、ということが、真実かつ明白であるならば、衝突させる発射物のエネルギーが、引き起こされる損傷に密接に相関したパラメータであることもまた、真実かつ明白であることになる。
【０００６】
このことは、エネルギーが低すぎるならば、目的（無能力化）を達成できず、エネルギーが高すぎるならば永久的な損傷を引き起こすことを意味している。
経験から報告された文献によって、低致死率である発射物が所有しなければならないエネルギーレベルについての指標的数値が提供されているが、それにもかかわらず、この数値は、発射物自体の特定の特性を考慮に入れて最適化する必要がある。
市場に既存の、運動学的効果に基づいた個々の武器について観察し、それらの特性を分析し、使用されている発射物の弾道学を研究すると、ターゲットまでの有効射程距離は、最大でも２０〜２５ｍに限られており、そうした距離範囲は、発射物の弾道経路に沿っての速度そしてエネルギーの低下を考慮した上で許容される最大値である。その結果、我々が、低致死率の基準を満足させようとするならば、かかる基準はターゲットに対する特定の運動エネルギーを決定することから、距離を大きくすることは、前述した速度そしてエネルギーの低下とは両立しないことになる。
【発明の開示】
【発明が解決しようとする課題】
【０００７】
本発明の目的は、上述した従来技術の不都合を解消できるような、低致死率の弾丸を撃つための銃火器及び方法を実現することである。
本発明の別の目的は、ターゲットに対する弾丸の運動学的効果に基づいた、低致死率の弾丸を撃つための銃火器及び方法を実現することである。
本発明のさらに別の目的は、銃身における銃口中の発射物の速度を変化させることによって、弾丸に与えるエネルギーを調整可能であるような低致死率の銃火器、及びこれに関連する低致死率の弾丸を撃つための方法を実現することである。
本発明の別の目的は、特に簡素かつ実用的で、低コストであるような、低致死率の銃火器を実現することである。
【課題を解決するための手段】
【０００８】
本発明によれば、独立請求項に記載された、低致死率の銃火器及び関連する低致死率の弾丸を撃つ方法によって、上述の目的が達成される。
従属請求項には、さらに追加的な特徴が明らかにされている。
本発明による低致死率の銃火器、及びそれに関連する低致死率の弾丸を撃つ方法については、以下の、あくまでも例示であって限定的なものではない、詳細な説明と添付図面とを参照することによって、さらに明瞭になるだろう。
【発明を実施するための最良の形態】
【０００９】
添付図面を参照すると、符号１０にて全体を示している低致死率の銃火器は、低致死率の弾丸ないし発射物を発射するための（従来の致死的な発射物を発射することもできる）発射装置１２と、弾丸の速度を調整する装置１３と、ターゲットの距離を推定する装置１４と、前記調整装置１３と前記推定装置１４とを結合する機械的な結合手段とから構成されている。
【００１０】
図１に例示した発射装置１２は、施条された銃身をもったカリバー１２タイプであって、“ポンプタイプ”のものであるが、これについては当業者に周知であるので詳述はしない。しかしながら、本願は、必ずしもそうしたタイプの発射装置に制限されるものではなく、というのは、同様なやり方にて、レボルバー式の銃や、セミ・オートマチック式、手動式などの銃であって、固定式又はバランス式の銃身をもつもの、及び滑腔砲銃又は施条砲銃のいずれの構造にも統合することができるからである。
【００１１】
弾丸の速度を調整する装置１３は、図３の一部破断図に詳しく示されているように、銃身１６における銃口中の弾丸の速度を変化させることによって、異なった射撃距離にあるターゲットに対して、同一の衝撃エネルギーをもった弾丸を到達させる。通常の発射条件の下では、不図示の爆発室内にある火薬の爆発と、これに続くガス膨張とによって、弾丸は、銃身１６の内部で加速されて、最大速度にまで達する。
【００１２】
本発明においては、調整可能なやり方で、銃火器１０の銃口中における速度を変化させて、射撃距離や、ターゲットに対する所望の衝撃エネルギーに応じて、必要な銃口中の速度を得る。実際には、ターゲット距離が長い場合には、弾道経路に沿った速度低下を補償すべく、発射物は最大速度に達する必要があり、また、ターゲット距離が短い場合には、過大速度とそれによる過大な衝撃エネルギーとを避けられるだけの充分に低い銃口中速度を発射物に与える必要があり、また、発射物の中間的な速度調整は、中間的なターゲット距離の場合に対応する。
以上の説明から明かなように、こうした、ターゲットの距離に応じて銃口中の速度を変化させる統合装置においては、かかる距離を、好ましくは測定し、あるいは、少なくとも“推定”できることが必要になる。
【００１３】
ターゲットの距離を推定する装置１４は、光学機械的な装置であって、公知であるので詳述はしないが、可変である測視点をもつ照準に基づいた、光学視界を備えている。測視線は、距離を推定する照準装置において広く使用されており、光学的三角測量の原理を用いることで、既知の寸法をもった人体である対象物までの距離を評価する。この場合、光学視界には、可変距離に投光されるべき２つの輝点が、装置の内部において得られ、それらを視界内のターゲットの端部にコリメートさせることができる。第３の輝点は、ターゲットの中間的な位置に投光され、理論的な衝突点を指示するものである。このコリメート操作によって、設定されたターゲットの距離に関する情報を、装置に与えることができる。
これと同時に、輝点は照準された距離に応じて垂直軸線に沿って動くので、コリメート操作は、正確な後部照門角度に応じた照準合わせの準備をする。
【００１４】
弾丸の速度を調整する装置１３と、ターゲットの距離を推定する装置１４とは、詳しくは後述するが、図４の断面図に模式的に示す如く、機械的な結合手段によって結合されていて、銃口中の速度と評価された距離との間に正確な相関関係が得られるようになっている。
発射物の速度を調整する装置１３は、図５及び図６の拡大斜視図に詳しく示したような、バルブ１７を備えていて、このバルブは、発射装置の銃身１６上において、爆発室の近くに取り付けられる。
バルブ１７は、ガスの除去ないし流出を行うものであって、銃口中に求められる様々な速度を実現するために、ガスの推力をそれぞれ違った一部分にすべく調整可能になっている。すなわち、バルブを閉じることは、可能な最大距離に対応し、バルブを開くことは、短い距離にあるターゲットに対して、弾丸の速度及び衝撃エネルギーを減少させる。
【００１５】
図８の模式的なグラフは、時間軸に対して、時刻ゼロにおける発射の後の、銃身内部の爆発室の圧力変化を連続線にて示している。ピークの後には、銃身内の圧力は低下して、弾丸が銃身の銃口から出たとき、圧力はゼロになる。グラフの時刻Ｘでは、銃身における爆発室よりも下流側の部分において、流出が生じて、流出部分が爆発室に近ければ近いほど、圧力流出時はピーク値に近くなる。
グラフにおいて、輪郭の領域は、バルブを介したガス流出の結果によって圧力が減少した後の、カットされた推進力を示している。以上の説明から分かるように、銃身における流出部分を、可能な限り爆発室の近くに設け、あるいは、爆発室と同一のレベルに設けるならば、流出はより効果的になる。
【００１６】
本発明の好ましい実施形態では、ガスが弾丸に対して発生させる推進力を適切にカットできるような、銃身１６における適切に退いた部分には、平坦面１８ないし流出面が銃身における銃口側に向けて設けられ、該面には、ガスを流出させるための適切な数及びサイズをもった様々な貫通孔１９が設けられていて、最小射撃距離に必要な流出が得られるようになっている。また、この平坦面１８には、バルブ１７を清掃するための、鋭利な輪郭をもった、複数の浅浮彫りの排出部２０が設けられている。バルブ１７は、実質的に円筒形である本体を備え、銃身１６のまわりにて、時計まわり又は反時計まわりに、連続的に、言い換えれば、機械的なストップなく、回転可能になっている。また、バルブ１７は、銃身１６の表面に対して精密に結合するように形成されていて、錆による不都合が生じないようにクロムメッキされている。
【００１７】
銃身１６に接触する片側には、回転によって、銃身における１又は複数の孔を閉じるような、閉止面２１と、下がり面２２とが設けられていて、該下がり面の近くに位置する孔１９は、閉じられることがないために、ガスを流出させる。この下がり面２２は、２つの鋭利な側部２３を備えていて、これらの側部は、銃身における流出面１８に堆積するであろう未燃焼ガス堆積物を、バルブ１７の回転中に清掃する。
バルブ１７における反対側には、トルクリミッタ安全ジョイント２５に結合するための、複数の円錐台の形状である座部２４が設けられている。
バルブ１７の本体において、その円筒形であるひとつの側面には、孔２６が設けられていて、これを穿孔針などで外部から操作することで、例えば銃火器に必要な清掃をせずに長期間使用もせずに放置したためにバルブが完全に固まり着いた場合などに、バルブ１７の固着を解くことができる。
【００１８】
弾丸の速度を調整する装置１３は、バルブ１７及びトルクリミッタ安全ジョイント２５に加えて、指令モータ２７、及びこれに関連する歯車、並びに、モータ２７に供給するための、１又は複数パックのバッテリー２９を備えている。
実際には、バルブ１７への動きの伝達は、小型電気モータ２７によって行われ、モータはバッテリーから供給を受けて、不図示の電子回路基板によって制御される。小型電気モータ２７は、複数段の小型遊星歯車減速装置に結合されていて、その特徴として、サイズが小型であり、高い伝達トルクを有し、また、重量が控えめであるという、独立した銃火器において重要な要素をもつ。
【００１９】
バッテリー２９として、例えばリチウム電池を用いるならば、従来のアルカリ電池に比べて、銃火器装置に充分な自立性を提供できると共に、電池の数を少なくして、結果的に重量を減少させることができる。しかしながら、銃火器装置の自立性を高めるためには、図３に示す如く、延長プラグ３０を備えた補助バッテリーパックを追加しても良い。
小型電気モータ２７の回転軸には、歯付きピニオン３２が取り付けられていて、このピニオンは、固定ピンにキー付けされたアイドラギア３３を介して、歯付き部分２８を支持してなるジョイントの円筒形本体３５へ動きを伝達する。
ジョイントの本体３５は、銃身１６のまわりを回転するもので、銃身１６の円筒表面に対して精密に結合されていて、錆による不都合が生じないようにクロムメッキされている。
いずれも銃身１６のまわりにて回転するものである、ジョイント２５の歯付き部分２８と環状円板３７との間には、ジョイント本体３５のまわりに軸方向バネ３６が巻き付けられている。その結果、バネ３６は、軸方向成分だけを伝達し、摩擦による抵抗力を発生させることがなく、２つの機能を達成する。主たる機能は、トルクリミッタ安全ジョイント２５を動作させることで、その目的のために、バネ３６自体の作動力は計算されている。第２の機能は、銃身１６の流出面１８に対してバルブ１７を押圧することであり、これにより、未燃焼ガス堆積物が回転中に清掃される。さらに、銃身１６とバルブ１７との間の接触面は平坦であるので、また、後者つまりバルブはバネ３６によって付勢されているので、バルブ１７が閉じるとき、完璧なガスシールが得られる。実際には、このタイプのシールは、円筒形シールにおいて代表的である誤差によって影響されず、実現が容易である。
【００２０】
ジョイント本体３５は、前部の歯の噛合によって、ボール３９のための複数の座部を有してなるボール保持器３８へ動きを伝達する。
ボール３９は、適当な座部の中にガイドされていて、バネによって円板３７を介して、バルブ１７に設けられた円錐台の形状である座部２４の中へ押し込まれている。
座部２４の円錐台の形状をなす角度と、バネ３６の力とは、安全ジョイント２５に摺動トルクを確保できるように適切に定められ、小型モータ２７が過負荷になることを防止する。
トルクリミッタ安全ジョイント２５は有利には、外部からの操作を必要とせずに、バルブ１７の固着を解くことができる。実際には、ボール３９が座部２４からバルブ１７上に押し出されると、ジョイント２５は、連続的なボール３９間の角度に対応する角度と同じ角度だけ、摺動して回転する。この角度に対応する回転中に、モータ２７は、ロックされた状態から、達し得る最大速度にまで加速する。ボール３９が隣合う次の円錐台形状の座部２４に入るとき、ボールはぶつかって衝撃力を発生させる。一連の衝撃力によって、バルブ１７はわずかに回転し、それにより、バルブ自体の固着を解く。
ジョイント本体３５、ボール保持器３８、及びバルブ１７から構成され、バネ３６、円板３７、及びボール３９によって完成される組立体は、シーガー・リング("Seeger ring")などの組立リング４０によって、遊びゼロの状態にて、銃身１６に対して、その軸線方向に拘束されている。遊びがゼロである組立体によって、銃身１６の流出面１８上にあるバルブ１７の閉止面２１には、たとえバネ３６がガス圧に耐えられなかったとしても、完璧なシールが確保される。
【００２１】
上述の弾丸の速度を調整する装置１３とターゲットの距離を推定する装置１４との間に設けられる、機械的な結合手段は、バルブ１７の本体上に設けられた偏心カム４１と、このカムが回転すると垂直な動きが伝えられるようにカムに接触しているフィーラーないしカムフォロワ４２とから構成されていて、光学装置１４を操作する。制御フィーラー４２が動くことで、公知の装置に関して簡単に前述した、測視コリメートの輝点の移動機能が得られる。
カム４１は、３６０度の全周に設けられているので、バルブ１７を単一方向へ連続的に回転させることによって、最小距離から最大距離へ、あるいは、最大距離から最小距離へ、照準を合わせることが可能である。しかしながら、逆方向に回転させて照準を修正できるようにしても良い。
【００２２】
ターゲットの距離を推定する装置１４は、小型電気モータ２７及びバッテリー２９の支持箱４３を介して、銃身１６に取り付けられており、従って、銃身とフレーム間の結合によって生じる位置決め誤差の影響を受けることはない。さらに、野外において、銃身をフレームから分解することはいつでも可能であって、結合や位相に不都合を生じることはない。
いずれにせよ、後部照門を調整し、光学装置に対して銃身を正しい配置に据え付けることはいつでも可能である。
箱４３の表面に取り付けられた箔接点によって、例えば電源は、光学装置１４のＬＥＤに伝達される（輝度を調整できるようにしても良い）。接点は、Ｏリングのワッシャによって隔離される。
銃火器内の低致死率の弾丸を発射する方法は、可変距離にあるターゲットに対して一定かつ予測可能な衝撃エネルギーを与えるべく、銃火器に低致死率の弾丸を装填する段階と、爆発室の起爆をトリガーする段階と、弾丸のエネルギーを、言い換えれば、前記銃身における銃口中の弾丸の速度を、所望量だけ減少させるべく、銃身部分からの所定量のガスの流出させる段階とを備えている。
【００２３】
本発明の好ましい実施形態においては、毎回の発射前に、ターゲットに対するコリメート段階によって、ターゲットの距離を推定し、これと同時に、流出段階を行う。
本発明による低致死率の銃火器によれば、簡単かつ信頼性の高いやり方で、ターゲットについて評価された距離に、弾丸のエネルギーを相関させることができるという利点が得られる。
実際には、流出するガス量とターゲットの距離の推定との間の相関関係は、二方向唯一性であるので、時計まわり及び反時計まわりのいずれにおいても、同じ流出較正を得ることが可能である。
さらに、速度を調整する装置と、ターゲットの距離を推定する装置との間の機械的な結合によって、銃身における光学装置を分解した後や、動作摩擦が減ったとしても、位相状態を一定に保つことが可能である。最後に、有利には、あらゆる電気結合について、すべての較正及び位相の問題を回避することができる。
本発明の銃火器によれば、有利には、標準的な弾丸、言い換えれば、致死的な弾丸を発射することも可能である。さらに、バッテリーの充電が消耗したとしても、銃火器を発射することは可能であって、これため人員の保護は保証される。
【００２４】
本発明の銃火器によれば、有利には、構成部品が高度に統合化され、すべてが銃身に集約される。有利には、電気的及び機械的な反動作用は回避される。
さらに、本発明によれば、調整装置のバルブは平坦な接触面の清掃が容易であって、ゴミを取り除くことができる。
有利には、例えば銃火器を長期間使用しなかった場合など、ボール式の安全ジョイントが、ロックしたバルブ位置に滑り入って、一連の衝撃力をバルブに伝えることで、バルブの固着を解くことができる。
従って、このようにデザインされた低致死率の銃火器には、改良及び変形を施すことが可能であって、それらはすべて本発明に含まれると共に、すべての詳細事項は技術的に均等な要素によって置き換えることが可能である。基本的に、技術的なニーズに応じて、あらゆる材料及びサイズを使用することができる。
【図面の簡単な説明】
【００２５】
【図１】図１は、本発明による低致死率の銃火器を示した立面図である。
【図２】図２は、本発明による低致死率の銃火器を示した平面図である。
【図３】図３は、図１の銃火器の詳細について一部を破断して示した斜視図である。
【図４】図４は、図３に示した部分の詳細について、図２の線IV−IVに沿って示した断面図である。
【図５】図５は、本発明による低致死率の銃火器における、流出バルブを示した拡大斜視図である。
【図６】図６は、本発明による低致死率の銃火器における、流出バルブを示した拡大斜視図である。
【図７】図７は、本発明による銃火器における、銃身の詳細について、その流出領域について示した拡大斜視図である。
【図８】図８は、発射後の時間経過に対する圧力状態の概要について示したグラフである。
【図１】
2006038452.tif 000003
【図２】
2006038452.tif 000004
【図３】
2006038452.tif 000005
【図４】
2006038452.tif 000006
【図５】
2006038452.tif 000007
【図６】
2006038452.tif 000008
【図７】
2006038452.tif 000009
【図８】
2006038452.tif 000010
【外国語明細書】
2006038452.tif 000011
2006038452.tif 000012
2006038452.tif 000013
2006038452.tif 000014
2006038452.tif 000015
2006038452.tif 000016
2006038452.tif 000017
2006038452.tif 000018
2006038452.tif 000019
2006038452.tif 000020
2006038452.tif 000021
2006038452.tif 000022
2006038452.tif 000023
2006038452.tif 000024
2006038452.tif 000025
2006038452.tif 000026
2006038452.tif 000027
2006038452.tif 000028
2006038452.tif 000029
2006038452.tif 000030
2006038452.tif 000031
2006038452.tif 000032
2006038452.tif 000033
2006038452.tif 000034
2006038452.tif 000035
2006038452.tif 000036
2006038452.tif 000037
2006038452.tif 000038
2006038452.tif 000039